(57)【要約】【課題】簡易な操作による意図しない機能設定があったとしても、元の設定に容易に戻すことができる携帯型電子機器、携帯型電子機器の制御方法、及び携帯型電子機器の制御プログラムを提供すること。【解決手段】携帯型電子機器は、複数の操作キーを有する操作部と、情報を記憶するメモリ部と、１つの操作キーが所定操作された際に、所定の機能設定を実現する制御部と、を備える。制御部は、機能設定に係る情報をメモリ部に記憶し、情報を使用者に通知すると共に、機能設定を維持するか否かを使用者に選択させ、使用者の選択に応じて機能設定を維持するか、又は元に戻す。【選択図】図２
2010262363.tif 000002
【特許請求の範囲】
【請求項１】
複数の操作キーを有する操作部と、
情報を記憶するメモリ部と、
１つの前記操作キーが所定操作された際に、所定の機能設定を実現する制御部と、を備え、
前記制御部は、前記機能設定に係る情報を前記メモリ部に記憶し、
前記情報を使用者に通知すると共に、前記機能設定を維持するか否かを使用者に選択させ、
使用者の選択に応じて前記機能設定を維持するか、又は元に戻すことを特徴とする携帯型電子機器。
【請求項２】
前記制御部は、使用者の前記選択後、前記メモリ部に記憶した前記情報を消去することを特徴とする請求項１に記載の携帯型電子機器。
【請求項３】
前記制御部は、所定の条件が満たされたときに前記情報を使用者に通知することを特徴とする請求項１又は２に記載の携帯型電子機器。
【請求項４】
前記制御部は、前記機能設定又は前記所定操作が所定頻度以下か否かを判断し、
前記所定頻度以下である場合に、前記情報を前記メモリ部に記憶すると共に、前記情報を使用者に通知することを特徴とする請求項１〜３のいずれか一項に記載の携帯型電子機器。
【請求項５】
前記制御部は、前記所定操作時の使用者による前記操作キーの操作が所定の条件を満たす場合に、前記機能設定又は前記所定操作の回数を前記メモリ部に記憶し、
前記メモリ部に記憶された前記回数に基づいて、前記機能設定又は前記所定操作が所定頻度以下か否かを判断することを特徴とする請求項４に記載の携帯型電子機器。
【請求項６】
前記制御部は、前記１つの操作キーの押下継続時間又は所定時間当たりの押下回数によって前記所定操作か否かを判断することを特徴とする請求項１〜５のいずれか一項に記載の携帯型電子機器。
【請求項７】
前記設定の変更に係る前記情報は、前記機能設定に係る機能、前記機能設定前の設定内容、前記機能設定後の設定内容、及び設定変更時刻のうち少なくとも１つを含むことを特徴とする請求項１〜６のいずれか一項に記載の携帯型電子機器。
【請求項８】
１つの操作キーが所定の操作によって押下されたときに、所定の機能を設定し、
前記機能の設定に係る情報を記憶し、
前記情報を使用者に通知し、
前記機能の設定を維持するか否かを使用者に選択させ、
使用者の選択に応じて前記設定の変更を維持するか、元に戻すかを使用者に選択させることを特徴とする携帯型電子機器の制御方法。
【請求項９】
所定の条件が満たされたときに前記情報を使用者に通知することを特徴とする請求項８に記載の携帯型電子機器の制御方法。
【請求項１０】
前記所定の機能の設定又は前記所定の操作が所定頻度以下か否かを判断し、
前記所定頻度以下である場合に、前記情報を前記メモリ部に記憶すると共に、前記情報を使用者に通知することを特徴とする請求項８又は９に記載の携帯型電子機器の制御方法。
【請求項１１】
前記所定の操作時の使用者による前記操作キーの操作が所定の条件を満たす場合に、前記所定の機能の設定又は前記所定の操作の回数を記憶し、
前記メモリ部に記憶された前記回数に基づいて、前記所定の機能の設定又は前記所定の操作が所定頻度以下か否かを判断することを特徴とする請求項１０に記載の携帯型電子機器の制御方法。
【請求項１２】
１つの操作キーが所定の操作によって押下されたときに、所定の機能を設定し、
前記機能の設定に係る情報を記憶し、
前記情報を使用者に通知し、
前記機能の設定を維持するか否かを使用者に選択させ、
使用者の選択に応じて前記設定の変更を維持するか、元に戻すかを使用者に選択させることを携帯型電子機器に実現させることを特徴とする携帯型電子機器の制御プログラム。
【請求項１３】
所定の条件が満たされたときに前記情報を使用者に通知することを携帯型電子機器に実現させることを特徴とする請求項１２に記載の携帯型電子機器の制御プログラム。
【請求項１４】
前記所定の機能の設定又は前記所定の操作が所定頻度以下か否かを判断し、
前記所定頻度以下である場合に、前記情報を前記メモリ部に記憶すると共に、前記情報を使用者に通知することを携帯型電子機器に実現させることを特徴とする請求項１２又は１３に記載の携帯型電子機器の制御プログラム。
【請求項１５】
前記所定の操作時の使用者による前記操作キーの操作が所定の条件を満たす場合に、前記所定の機能の設定又は前記所定の操作の回数を記憶し、
前記メモリ部に記憶された前記回数に基づいて、前記所定の機能の設定又は前記所定の操作が所定頻度以下か否かを判断することを携帯型電子機器に実現させることを特徴とする請求項１４に記載の携帯型電子機器の制御プログラム。
【発明の詳細な説明】
【技術分野】
【０００１】
本発明は、携帯型電子機器、携帯型電子機器の制御方法、及び携帯型電子機器の制御プログラムに関し、例えば携帯電話機、携帯電話機の制御方法、及び携帯電話機の制御プログラムに関する。
【背景技術】
【０００２】
携帯電話機等の携帯型電子機器はその多機能化・複雑化に伴い、各種機能を利用する場合や各種機能の設定を変更する場合には、複数の複雑な操作ステップを要する。各種機能毎に専用の操作キーを割り当てることができれば複雑な操作ステップは不要となるが、携帯型電子機器においては、小型化を図る必要があるため、操作キーの数には限界があり、機能毎に操作キーを実装することは困難である。
【０００３】
そこで、例えば携帯電話機においては、マナーモード設定やキー操作ロック設定等の基本的かつ利用頻度が高く優先的に利用される機能については、数字や文字等の入力に使用される操作キーの長押しや連続押下（ダブルクリック）など簡易な操作によって、複数の操作ステップによらなくても、設定できるように構成されている。例えば、特許文献１に記載の携帯電話機は、予め設定された機能又はユーザーが選択した機能と数字キーとの対応関係を記憶する手段と、対応関係を数字キーのキー配列に従って表示部に表示する手段と、所定の数字キーの長押し動作により記憶手段から対応する機能を呼び出し、実行する手段とを少なくとも有する。また、特許文献２に記載の携帯電話機は、一連のキー操作手順を記憶し特定キーの操作により記憶した一連のキー操作手順に対応する機能を実行する。
【先行技術文献】
【特許文献】
【０００４】
【特許文献１】特開２００３−１７４４９７号公報
【特許文献２】特開２００３−１６７６６７号公報
【発明の概要】
【発明が解決しようとする課題】
【０００５】
以下の分析は、本発明の観点から与えられる。
１つの操作キーのみによって所望の機能を実行したり機能設定したりすることは簡便であるが、一方で、携帯電話機をカバンやポケットに入れておいた場合に、カバンやポケットの中の物により、携帯電話機の操作キーが押下され、意図しない機能が実行・設定されることがある。また、携帯電話機の操作に不慣れ又は苦手な使用者が、誤って操作キーを押下して、意図しない機能が設定されるたり、設定の変更がなされたりすることがある。このような場合に、携帯電話機の操作に不慣れな使用者や携帯電話機の機能を熟知していない使用者は、意図しない機能が実行されたり、所望する機能が実行されなかったりすることにより、困惑することがある。また、それが普段使用しない機能である場合には、使用者は、元の設定に戻す方法や設定を解除する方法が分からない場合もある。さらには、意図しない設定変更情報がアイコン等により表示部に表示されたとしても、携帯電話機の操作に不慣れな使用者や携帯電話機の機能を熟知していない使用者にとっては、そのアイコンの意味を知らない場合やアイコンの出現に気づかない場合もある。
【０００６】
本発明の目的は、簡易な操作による意図しない機能設定があったとしても、元の設定に容易に戻すことができる携帯型電子機器、携帯型電子機器の制御方法、及び携帯型電子機器の制御プログラムを提供することである。
【課題を解決するための手段】
【０００７】
本発明の第１視点によれば、複数の操作キーを有する操作部と、情報を記憶するメモリ部と、１つの操作キーが所定操作された際に、所定の機能設定を実現する制御部と、を備える携帯型電子機器が提供される。制御部は、機能設定に係る情報をメモリ部に記憶し、情報を使用者に通知すると共に、機能設定を維持するか否かを使用者に選択させ、使用者の選択に応じて機能設定を維持するか、又は元に戻す。
【０００８】
本発明の第２視点によれば、１つの操作キーが所定の操作によって押下されたときに、所定の機能を設定し、機能の設定に係る情報を記憶し、情報を使用者に通知し、機能の設定を維持するか否かを使用者に選択させ、使用者の選択に応じて設定の変更を維持するか、元に戻すかを使用者に選択させる携帯型電子機器の制御方法が提供される。
【０００９】
本発明の第２視点によれば、１つの操作キーが所定の操作によって押下されたときに、所定の機能を設定し、機能の設定に係る情報を記憶し、情報を使用者に通知し、機能の設定を維持するか否かを使用者に選択させ、使用者の選択に応じて設定の変更を維持するか、元に戻すかを使用者に選択させることを携帯型電子機器に実現させる携帯型電子機器の制御プログラムが提供される。
【発明の効果】
【００１０】
本発明は、以下の効果のうち少なくとも１つを有する。
【００１１】
本発明によれば、携帯型電子機器の操作が苦手や不慣れな使用者であっても、簡易操作による機能設定を利用することができる。また、非意図的な機能設定がなされた場合であっても、使用者は、機能設定の有無の存在を知ることができると共に、設定の復元を容易に実施することができる。
【図面の簡単な説明】
【００１２】
【図１】本発明の携帯電話機の構成の一例を示すブロック図。
【図２】本発明の携帯電話機の動作の第１例を説明するためのフローチャート。
【図３】メモリ部に記憶された設定変更情報の一例。
【図４】設定変更された際に表示部に表示する内容の一例。
【図５】本発明の携帯電話機の動作の第２例を説明するためのフローチャート。
【図６】本発明の携帯電話機の動作の第３例を説明するためのフローチャート。
【発明を実施するための形態】
【００１３】
上記各視点の好ましい形態について以下に記載する。
【００１４】
上記第１視点の好ましい形態によれば、制御部は、使用者の選択後、メモリ部に記憶した情報を消去する。
【００１５】
上記第１視点の好ましい形態によれば、制御部は、所定の条件が満たされたときに情報を使用者に通知する。
【００１６】
上記第１視点の好ましい形態によれば、制御部は、機能設定又は所定操作が所定頻度以下か否かを判断し、所定頻度以下である場合に、情報をメモリ部に記憶すると共に、情報を使用者に通知する。
【００１７】
上記第１視点の好ましい形態によれば、制御部は、所定操作時の使用者による操作キーの操作が所定の条件を満たす場合に、機能設定又は所定操作の回数をメモリ部に記憶し、メモリ部に記憶された回数に基づいて、機能設定又は所定操作が所定頻度以下か否かを判断する。
【００１８】
上記第１視点の好ましい形態によれば、制御部は、１つの操作キーの押下継続時間又は所定時間当たりの押下回数によって所定操作か否かを判断する。
【００１９】
上記第１視点の好ましい形態によれば、設定の変更に係る情報は、機能設定に係る機能、機能設定前の設定内容、機能設定後の設定内容、及び設定変更時刻のうち少なくとも１つを含む。
【００２０】
上記第２視点の好ましい形態によれば、携帯型電子機器の制御方法は、所定の条件が満たされたときに情報を使用者に通知する。
【００２１】
上記第２視点の好ましい形態によれば、携帯型電子機器の制御方法は、所定の機能の設定又は所定の操作が所定頻度以下か否かを判断し、所定頻度以下である場合に、情報をメモリ部に記憶すると共に、情報を使用者に通知する。
【００２２】
上記第２視点の好ましい形態によれば、携帯型電子機器の制御方法は、所定の操作時の使用者による操作キーの操作が所定の条件を満たす場合に、所定の機能の設定又は所定の操作の回数を記憶し、メモリ部に記憶された回数に基づいて、所定の機能の設定又は所定の操作が所定頻度以下か否かを判断する。
【００２３】
上記第３視点の好ましい形態によれば、携帯型電子機器の制御プログラムは、所定の条件が満たされたときに情報を使用者に通知することを携帯型電子機器に実現させる。
【００２４】
上記第３視点の好ましい形態によれば、携帯型電子機器の制御プログラムは、所定の機能の設定又は所定の操作が所定頻度以下か否かを判断し、所定頻度以下である場合に、情報をメモリ部に記憶すると共に、情報を使用者に通知することを携帯型電子機器に実現させる。
【００２５】
上記第３視点の好ましい形態によれば、携帯型電子機器の制御プログラムは、所定の操作時の使用者による操作キーの操作が所定の条件を満たす場合に、所定の機能の設定又は所定の操作の回数を記憶し、メモリ部に記憶された回数に基づいて、所定の機能の設定又は所定の操作が所定頻度以下か否かを判断することを携帯型電子機器に実現させる。
【００２６】
本発明の携帯型電子機器について、以下、携帯電話機を例にして説明する。
【実施例１】
【００２７】
図１に、本発明の携帯電話機の構成の一例を示す。携帯電話機１００は、アンテナ１０１と、無線部１０２と、制御部１０３と、操作部１０４と、表示部１０５と、メモリ部１０６と、音声コーデック部１０７と、スピーカ１０８と、マイクロホン１０９と、を備える。
【００２８】
携帯電話機１００は、制御部１０３の制御により無線部１０２、アンテナ１０１を介して基地局（不図示）と通信を行う。例えば通話の場合、無線部１０２は、受信したい信号周波数を選択し、アンテナ１０１にて受信した信号の周波数変換を行い増幅し、復調して、受信データを制御部１０３に出力する。また、無線部１０２は、アンテナ１０１にて受信した信号を処理する過程で、その電界強度レベルを抽出し制御部１０３に出力する。制御部１０３は、受信データを処理して音声信号を音声コーデック部１０７に出力し、音声コーデック部１０７は、音声信号をアナログ信号に変えてスピーカ１０８より音声を出力する。また、マイクロホン１０９より入力された音声は、音声コーデック部１０７にてＰＣＭ信号にＡ／Ｄ変換され、制御部１０３は、その信号を送信データに処理し、無線部１０２にて変調し、規定の周波数の搬送波として増幅し、アンテナ１０１より送信を行う。
【００２９】
操作部１０４は、使用者が情報を入力するための複数の操作キーを有する。アンテナ１０１を介して受信したデータ、使用者が操作部１０４より入力した情報等は、制御部１０３によって表示部１０５に表示されたり、メモリ部１０６に記憶されたりする。
【００３０】
本発明の携帯電話機１００においては、制御プログラムにより、所定の１つの操作キーを所定の操作することにより、所定の機能の設定を変更できるようにされている。例えば、マナーモードが設定されていない状態において、数字「１」キーを所定時間押下する（以下「長押し」という）と、マナーモードが設定できるようになっており、長押しでなければ数字「１」や「１」キーに割り当てられた文字を入力するようになっている。所定の操作としては、文字・数字入力との区別をつけられる操作であればいずれの操作でもよく、長押しの他には、例えば、連続押下（ダブルクリック）等でもよい。設定変更内容も、いずれの設定変更でもよく、例えば、マナーモードの設定／解除、アラーム設定／解除、受話音量変更、着信音量変更、キーロックの設定／解除、暗証番号・パスワードの入力設定／解除等が挙げられる。
【００３１】
次に、本発明の携帯電話機１００の動作、制御方法及び制御プログラムの第１例について説明する。図２に、本発明の携帯電話機の動作の第１例を説明するためのフローチャートを示す。
【００３２】
制御部１０３は、操作部１０４を監視し、操作キーが押下されると、操作部１０４からの入力を検出する（Ｓ２０１）。次に、制御部１０３は、操作部１０４の操作が所定の操作か判別する（Ｓ２０２）。例えば、押下された操作キーには、所定機能の設定変更のためのショートカットが割り当てられているか否か、割り当てられている場合には、長押し等の所定の操作か否かを判断する。所定の操作が長押しである場合には、長押しか否かは、押下継続時間によって判断する。
【００３３】
押下された操作キーにショートカットが割り当てられており、その押下が所定操作であると判断された場合には、制御部１０３は、押下された操作キーに割り当てられた所定の設定変更を実施する（Ｓ２０３）。例えば、制御部１０３は、その操作キーにマナーモードの設定／解除が割り当てられている場合、マナーモードの設定を変更する。押下された操作キーにショートカットが割り当てられていない場合、又は割り当てられていても所定の操作でない場合には、制御部１０３は、その操作キーの通常の入力操作を実施する（Ｓ２０４）。例えば、制御部１０３は、数字「１」キーが押下された場合には、「１」の入力と判断する。
【００３４】
設定変更した場合には、制御部１０３は、設定変更情報をメモリ部１０６に保存する（Ｓ２０５）。設定変更情報としては、例えば、設定変更された機能、押下された操作キー、設定変更された時刻、設定変更前の状態、設定変更後の状態等が挙げられる。図３に、メモリ部１０６に記憶された設定変更履歴情報の一例を示す。図３に示す例においては、１件目の設定変更情報として、「マナー」キーが押下され、Ｘ年Ｘ月Ｘ日Ｘ時Ｘ分Ｘ秒に、マナーモードが解除状態から設定状態に変更されたことが記憶され、２件目の設定変更情報として、「５」キーが押下され、Ｙ年Ｙ月Ｙ日Ｙ時Ｙ分Ｙ秒に、受話音量のレベルがレベル６からレベル１に変更されたことが記憶されている。
【００３５】
制御部１０３は、設定変更されたことを使用者に通知する（Ｓ２０６）。使用者への通知方法としては、例えば、設定変更がされたことを表示部１０５に表示する。このとき、通知音を出したり、振動させたりしてもよい。表示部１０５には、設定変更がなされたことを使用者に具体的に表示し、設定変更前の状態に戻すかどうかを使用者に選択させる（Ｓ２０７）。図４に、設定変更された際に表示部１０５に表示する内容の一例を示す。図４においては、図３に示したメモリ部１０６に格納した設定変更情報に係る表示例を示しており、制御部１０３は、使用者によって設定変更確認されていない設定変更情報（例えば、機能名、その機能の説明、設定時刻、設定変更の経緯等）を１件毎に表示するものとしている。まず、１件目のマナーモードの設定変更について、その内容を表示すると共に、使用者に設定変更を維持するか、元の設定に戻すかを選択させる（図４（Ａ））。このとき、使用者が設定を元に戻すことを選択すると、制御部１０３により、設定変更は、１件目の設定変更前の状態（この例ではマナーモード解除の状態）に戻され（Ｓ２０８）、元に戻さないことを選択すると設定変更は維持される（Ｓ２０９）。次に、同様にして、２件目の受話音量の設定変更について使用者に設定変更を維持するか、元の設定に戻すかを選択させる（図４（Ｂ））。すべての設定変更を使用者に確認させたら、設定変更情報確認画面はクリアされる（図４（Ｃ））。また、制御部１０３は、メモリ部１０６に格納した設定変更情報も消去する（Ｓ２１０）。
【実施例２】
【００３６】
次に、本発明の携帯電話機１００の動作、制御方法及び制御プログラムの第２例について説明する。図５に、本発明の携帯電話機の動作の第２例を説明するためのフローチャートを示す。第２例においては、所定の条件が満たされたときに、設定変更情報を使用者に通知する。所定の条件とは、設定変更後、できるだけ使用者が気付くような機会であると好ましく、例えば、設定変更から所定時間が経過したとき、充電を開始したとき、携帯電話機１００を充電器から取り外したとき、携帯電話機１００の電源をＯＮにしたとき、メール受信又は送信するとき、通話又は着信があったとき、折り畳み式携帯電話機において閉状態から開状態にしたとき、等が挙げられる。設定変更情報を使用者に通知する所定の条件は、１つであってもよいし、複数の条件であってもよい。
【００３７】
Ｓ３０１〜Ｓ３０５までは、第１例のＳ２０１〜Ｓ２０５と同様である。次に、制御部１０３は、所定の条件が満たされるか監視する（Ｓ３０６）。次に、上記のような所定の条件が満たされると、制御部１０３は、メモリ部１０６に、設定変更確認がまだされていない情報が存在するか確認し（Ｓ３０７）、存在する場合にはそれを読み出す（Ｓ３０８）。Ｓ３０９〜Ｓ３１３については、第１例のＳ２０６〜Ｓ２１０と同様である。
【実施例３】
【００３８】
次に、本発明の携帯電話機１００の動作、制御方法及び制御プログラムの第３例について説明する。図５に、本発明の携帯電話機の動作の第３例を説明するためのフローチャートを示す。第３例においては、入力操作が使用者の意図したものと判断した場合には、使用者への設定変更の通知等の処理を省略する。
【００３９】
Ｓ４０１〜Ｓ４０４までは、第１例のＳ２０１〜Ｓ２０４と同様である。次に、制御部１０３は、Ｓ４０１で検出した入力操作が、使用者の意図したものであるか否かを１次的に判断する（Ｓ４０５）。長押しによって設定変更がなされる場合、制御部１０３は、例えば、長押しの継続時間によって意図的な長押しか、非意図的な長押しかを判断する。例えば、２秒間の長押し（継続押下）によって設定変更がされる場合、制御部１０３は、長押しが５秒未満のときには、長押し操作は使用者の意図的な操作と判断し、５秒以上のときには非意図的な操作と判断する。使用者が意図的に長押しをしていれば、設定変更の完了が表示部に通知された時点で使用者は長押し操作をやめると考えられ、所定時間以上の長押し操作が継続していれば物等による非意図的な長押しと判断できるからである。また、連続押下によって設定変更がなされる場合には、制御部１０３は、例えば、連続押下回数によって、意図的な長押しか、非意図的な長押しかを判断する。例えば、制御部１０３は、所定時間内の２回連続押下であるときには、連続押下操作は使用者の意図的な操作と判断し、３回以上の連続押下であるときには非意図的な操作と判断する。
【００４０】
次に、Ｓ４０５において、制御部１０３は、入力操作を使用者による意図的な設定変更と判断した場合には、その入力操作回数又は設定変更回数をメモリ部１０６に記憶する（Ｓ４０６）。次に、制御部１０３は、その入力操作又は設定変更が所定頻度以下か否かを判断する（Ｓ４０７）。これにより、制御部１０３は、２次的に、使用者の意図した操作であるか否かを判断する。その入力操作の頻度が所定頻度より多い場合には、制御部１０３は、その操作は操作者の意図的な操作と判断し、通知等の処理を省略する。一方、Ｓ４０５において、非意図的な設定変更であると判断した場合、及びＳ４０７において、その入力操作の頻度が所定頻度以下である場合には、制御部１０３は、Ｓ４０８〜Ｓ４１３を実施する。Ｓ４０８〜Ｓ４１３については、第１例のＳ２０５〜Ｓ２１０と同様である。
【００４１】
第３例は、第１例を基に説明したが、第２例と第３例を組み合わせることができることはいうまでもない。
【００４２】
本発明の携帯型電子機器、携帯型電子機器の制御方法、及び携帯型電子機器の制御プログラムは、上記実施形態に基づいて説明されているが、上記実施形態に限定されることなく、本発明の範囲内において、かつ本発明の基本的技術思想に基づいて、上記実施形態に対し種々の変形、変更及び改良を含むことができることはいうまでもない。また、本発明の請求の範囲の枠内において、種々の開示要素の多様な組み合わせ・置換ないし選択が可能である。
【００４３】
本発明のさらなる課題、目的及び展開形態は、請求の範囲を含む本発明の全開示事項からも明らかにされる。
【産業上の利用可能性】
【００４４】
上記実施形態においては、携帯電話機を例にして本発明を説明したが、本発明の携帯型電子機器は、携帯電話機に限定されることなく、ＰＤＡ（Personal Digital Assistant）ノート型パソコン等の携帯型電子機器であれば適用することができる。
【符号の説明】
【００４５】
１００        携帯電話機
１０１        アンテナ
１０２        無線部
１０３        制御部
１０４        操作部
１０５        表示部
１０６        メモリ部
１０７        音声コーデック部
１０８        スピーカ
１０９        マイクロホン
【図１】
2010262363.tif 000003
【図２】
2010262363.tif 000004
【図３】
2010262363.tif 000005
【図４】
2010262363.tif 000006
【図５】
2010262363.tif 000007
【図６】
2010262363.tif 000008